(57)【要約】【課題】  吸気口や排気口の防塵性能を向上させるとともに、カバー部材を有効に利用することで利便性を向上させたプロジェクタを提供する。【解決手段】  プロジェクタ１は、プロジェクタ本体２内部で発生する熱を放出するために外気を吸気する吸気口８１０と、その熱を吸収し、暖められた外気をプロジェクタ本体２の外部に排気する排気口８２０と、吸気口８１０または排気口８２０の少なくとも一方を覆うカバー部材１００とを有している。また、カバー部材１００は、投写レンズ５９も合わせて覆う。そして、カバー部材１００は、プロジェクタ本体２とともに検出部４００を構成し、プロジェクタ本体２に対してカバー部材１００が移動して所定の位置に位置したか否かを検出する。プロジェクタは、光源動作制御部７００を有して、検出部４００からの検出信号に基づいて光源５１に点灯または非点灯を行わせる。【選択図】      図１
2007010709.tif 000002
【特許請求の範囲】
【請求項１】
映像を投写するプロジェクタであって、
前記プロジェクタの本体内部で発生する熱を放出するために外気を吸気する吸気口と、
前記熱を吸収し、暖められた前記外気を前記プロジェクタの本体外部に排気する排気口と、
前記吸気口または前記排気口の少なくとも一方を覆うカバー部材とを有していることを特徴とするプロジェクタ。
【請求項２】
請求項１に記載のプロジェクタであって、
前記カバー部材は、映像を投写する投写レンズを覆うように配設されることを特徴とするプロジェクタ。
【請求項３】
請求項１または請求項２に記載のプロジェクタであって、
前記カバー部材は、前記プロジェクタの本体に対して当該カバー部材が移動して所定の位置に位置したか否かを検出する検出部を前記プロジェクタの本体とともに構成し、
前記プロジェクタは、前記検出部からの検出信号に基づいて光源に点灯または非点灯を行わせる光源動作制御部を有することを特徴とするプロジェクタ。
【発明の詳細な説明】
【技術分野】
【０００１】
本発明は、映像を投写するプロジェクタに関する。
【背景技術】
【０００２】
従来、プロジェクタにおいて、プロジェクタの内部で発生する熱を放出するために、冷却ファンを用いて、吸気口から外気を吸気して、吸気された外気を発熱する光源や光変調素子である液晶ライトバルブなどの光学部品に送風し、光学部品の熱を奪い、熱せられた空気を排気口からプロジェクタ外部に排気している。また、吸気口においては、吸気口の内面側に、防塵用のフィルタを設置している。これにより、プロジェクタの使用時において、外気を吸気する場合に、外気に含まれるゴミや埃を吸着させることにより、プロジェクタ本体内部にゴミや埃が進入し、光学部品に付着して、投写映像にその影を投写させることなどの不具合を防止している。
【０００３】
また、プロジェクタに有するカバー部材において、特許文献１に記載されるように、投写レンズの直前に備えられ、レンズ面と平行に移動し、レンズの保護及びレンズの補助レンズとして構成されるものがある。また、特許文献２に記載されるように、カバー部材は、プロジェクタ本体に回動自在に軸支され、モータを備えてカバー部材を開閉駆動する構成のものも知られている。
【０００４】
【特許文献１】実開平２−４４７２９号公報
【特許文献２】実開平３−７０４７３号公報
【発明の開示】
【発明が解決しようとする課題】
【０００５】
しかしながら、プロジェクタを使用せずに、保管する状態においては、吸気口にゴミや埃が付着することで、防塵性能が低下するという課題がある。それにより、プロジェクタを保管状態から使用状態とした場合、吸気口（防塵用のフィルタを含め）の吸気効率が低下することにより、冷却効率が低下するという原因にもなる。
【０００６】
なお、カバー部材に関して、特許文献１に記載される構成は、投写レンズの保護と、投写レンズの補助を目的とする構成であり、特許文献２に記載される構成は、投写レンズの保護のみを目的とする構成である。従って、カバー部材は投写レンズの保護に使用されることが殆どであり、カバー部材が有効に利用されていないことが課題である。
【０００７】
本発明は、上記課題に鑑みてなされたものであり、吸気口や排気口の防塵性能を向上させるとともに、カバー部材を有効に利用することで利便性を向上させたプロジェクタを提供することを目的とする。
【課題を解決するための手段】
【０００８】
上述した目的を達成するために、本発明のプロジェクタは、プロジェクタの本体内部で発生する熱を放出するために外気を吸気する吸気口と、熱を吸収し、暖められた前記外気をプロジェクタの本体外部に排気する排気口と、吸気口または排気口の少なくとも一方を覆うカバー部材とを有していることを特徴とする。
【０００９】
このようなプロジェクタによれば、カバー部材は、吸気口または排気口の少なくとも一方を覆うことにより、プロジェクタが保管された状態でも、ゴミや埃が吸気口や排気口に付着することを防止できることにより、防塵性能を向上できる。例えば、吸気口をカバー部材が覆っている場合には、プロジェクタの保管状態において、ゴミや埃が吸気口に付着することを防止でき、カバー部材を移動させ、吸気口から外気を吸気した場合、ゴミや埃の影響は受けずに、以前と同様の吸気効率を維持することにより、冷却効率を維持できる。また、例えば、排気口をカバー部材が覆う場合には、プロジェクタ保管時に排気口にゴミや埃が付着するのを防止することができることで、防塵性能を向上できる。そして、カバー部材を移動させ、排気口から外気を排気した場合、ゴミや埃の影響は受けずに、以前と同様の排気効率を維持することにより、冷却効率を維持できる。
【００１０】
上記プロジェクタにおいて、カバー部材は、映像を投写する投写レンズを覆うように配設されることが好ましい。
【００１１】
このようなプロジェクタによれば、カバー部材は、投写レンズを覆うように配設されることにより、吸気口または／及び排気口を覆うことでの防塵性能の向上とともに、投写レンズの防塵と外部からの衝撃に対する保護を同時に行うことができる。それにより、プロジェクタの利便性を向上させることができる。
【００１２】
上記プロジェクタにおいて、カバー部材は、プロジェクタの本体に対してカバー部材が移動して所定の位置に位置したか否かを検出する検出部をプロジェクタの本体とともに構成し、プロジェクタは、検出部からの検出信号に基づいて光源に点灯または非点灯を行わせる光源動作制御部を有することが好ましい。
【００１３】
このようなプロジェクタによれば、カバー部材はプロジェクタの本体とともに構成される検出部により、カバー部材が移動して所定の位置に位置したか否かを検出する。そして、光源動作制御部は、その検出信号により、光源の点灯と非点灯を行わせる。これにより、例えば、カバー部材が移動して、プロジェクタが使用可能な状態（カバー部材が、所定の位置に位置した状態）となった場合を検出部により検出し、光源動作制御部が、光源を点灯させることができる。また、プロジェクタが使用可能ではない状態（カバー部材が、所定の位置に位置していない状態）となった場合を検出部により検出し、光源動作制御部が、光源を非点灯させることができる。
【００１４】
また、例えば、プロジェクタの光源を点灯または非点灯させる光源スイッチが、プロジェクタ本体側に入力部として設置されている場合などには、光源スイッチ入力により、光源を点灯させようとした場合、この入力信号と合わせて、カバー部材が所定の位置に位置した場合の検出部の検出信号による光源動作制御部からの信号を受けることにより、光源を点灯させることなどが行える。このようにすることで、安全性や利便性を向上させたプロジェクタを提供できる。
【発明を実施するための最良の形態】
【００１５】
以下、本発明の実施形態を図面に基づいて説明する。
（第１実施形態）
【００１６】
図１は、本発明の実施形態に係るプロジェクタの概略斜視図であり、図１（ａ）は、カバー部材が吸気口及び投写レンズを覆う（閉塞する）状態での斜視図であり、図１（ｂ）は、カバー部材を移動（回動）させて、カバー部材が吸気口及び投写レンズを覆わない（開放する）状態での斜視図である。図１を用いて、プロジェクタ１の外観の構成を概略説明する。
【００１７】
プロジェクタ１の本体２の外観面である全６面に対して、構成の説明のために、上面部１ａ、前面部１ｂ、左側面部１ｃ、右側面部１ｄ、背面部１ｅ、底面部１ｆとして示す。
【００１８】
図１（ａ）、（ｂ）に示すように、プロジェクタ１は、プロジェクタ１の本体２の外装を構成する略直方体形状の筐体１０と、プロジェクタ本体２の前面部１ｂのほぼ全領域を覆うカバー部材１００とを有して構成される。
【００１９】
筐体１０は、プラスチック材料を主として形成されている。上面部１ａには、プロジェクタ１の動作を操作する操作スイッチなどを有する操作部２５及びプロジェクタ本体２内部に備えるスピーカ３７（図４に図示）から出力される音を放音する放音孔１１が形成されている。また、後述する光源５１を構成するＬＥＤ（Light Emitting Diode）光源５２（図２、図４に図示）の動作状態などを知らせるＬＥＤ（Light Emitting Diode）表示部１２などが設置されている。
【００２０】
また、上面部１ａには、前面部１ｂの端部からＵ字状の切欠部１３が形成されて、投写レンズ５９を保持固定する円筒状の投写レンズ保持部材６０の一部が露出している。露出した投写レンズ保持部材６０には、投写レンズ５９から投写される投写映像の焦点を合わせるためのレバー６１が突出して備えられ、レバー６１を投写レンズ保持部材６０の外周に形成される溝６２に沿って回動することにより、投写映像の焦点を合わせることができる。
【００２１】
前面部１ｂには、投写レンズ５９及び投写レンズ保持部材６０の先端部が筐体１０から延出して備えられている。また、プロジェクタ本体２内部を冷却するための外気を吸気する吸気口８１０が備えられている。カバー部材１００は、吸気口８１０及び投写レンズ保持部材６０の先端部を含めた投写レンズ５９を覆うように設置される。なお、カバー部材１００は、前面部１ｂのほぼ全領域を覆っている。
【００２２】
左側面部１ｃ及び右側面部１ｄには、カバー部材１００を回動自在に保持するための構成を有するカバー部材取付け溝部２００がそれぞれの面部（１ｃ，１ｄ）に相対して形成されている。
【００２３】
背面部１ｅには、プロジェクタ本体２内部を冷却して熱せられた空気をプロジェクタ本体２の外部に排気するために排気口８２０（図２に図示）が備えられている。また、後述する電源コネクタ４０（図４に図示）を有し、プロジェクタ１とは別に備える電源アダプタ（図示省略）からのプラグ５２０（図４に図示）と接続される。底面部１ｆには、プロジェクタ本体を支える脚１５（図３に図示）が背面部１ｅ側の中央部に１つ設けられている。また、後述するカバー部材１００に形成する押圧用突起１２３及び脚１３３がプロジェクタ１を支える脚として機能する。
【００２４】
カバー部材１００は、本実施形態では、有色不透明のプラスチック部材で形成され、４方向に縁を形成した箱状のカバー部１１０と、カバー部１１０をプロジェクタ本体２に対して回動させるための構成を有し、カバー部１１０の相対するコーナー部から延設される一対のヒンジ部１２０，１３０とで構成されている。なお、カバー部材１００は、有色不透明のプラスチック部材以外に、無色（あるいは有色）透明のプラスチック部材や金属部材などで形成しても良い。
【００２５】
図１（ａ）に示す状態は、プロジェクタ１として動作（投写など）を行わない場合の状態であり、プロジェクタ１を保管しておく状態である。カバー部１１０は、図１（ａ）に示すように、前面部１ｂのほぼ全領域を覆うことで、吸気口８１０及び投写レンズ５９をプロジェクタ１外部からのゴミや埃などの付着や、衝撃による割れなどから保護している。
【００２６】
また、カバー部材１００は、図１（ｂ）に示すように、ヒンジ部１２０，１３０により回動することでカバー部１１０が吸気口８１０及び投写レンズ５９を開放する。そして、ヒンジ部１２０，１３０が所定の位置で後述する固定部３００により固定された状態となる。この状態で、プロジェクタ１は後述する検出部４００及び光源動作制御部７００としての機能を有する制御部３８により光源５１を点灯させ、投写を開始する。なお、この状態において、プロジェクタ１は、カバー部材１００のカバー部１１０と脚１５とにより支えられる。そして、カバー部材１００は、投写映像を上方の位置に投写できるように、プロジェクタ本体２の前面部１ｂ側を上方に持上げて保持することにより、チルト機構としての機能も有する。
【００２７】
ここで、所定の位置とは、本実施形態では、カバー部１１０が吸気口８１０及び投写レンズ５９を完全に開放する位置であり、プロジェクタ１が、光源５１を点灯して、映像を投写する場合に、投写レンズ５９から出射する映像光が、カバー部材１００に遮られず、また、吸気口８１０からの外気の吸気が、カバー部材１００に遮られない位置をいう。
【００２８】
本実施形態でのプロジェクタ１の外形形状は、概略、１５０ｍｍ×１２０ｍｍ×５０ｍｍ（Ｘ方向×Ｙ方向×Ｚ方向）であり、小型化が図られている。
【００２９】
図２は、プロジェクタの光学構成部及び冷却構成部を示す平面図である。図２を用いて、プロジェクタ１の光学構成部５０及び冷却構成部８００を説明する。
【００３０】
光学構成部５０の構成を説明する。
光学構成部５０は、プロジェクタ１の光学系を構成する部分であり、光源５１と、光学変換部５４と、投写レンズ５９とを有して構成される。光源５１は、発光源としてのＬＥＤ光源５２と、集光レンズ５３とを有して構成される。光学変換部５４は、コリメータレンズ５７と、伸張レンズ５８と、光変調部５５としての液晶ライトバルブ５６とを有して構成される。
【００３１】
光学構成部５０は、プロジェクタ本体２の平面略中央及び断面略中央に配設されている。背面部１ｅ側に光源５１を配設し、光源５１の光軸に略直線上に、光学変換部５４、投写レンズ５９の順番に配設され、前面部１ｂに投写レンズ５９を保持固定する投写レンズ保持部材６０の一部が延出する。光学変換部５４は、光源５１の前方にコリメータレンズ５７、伸張レンズ５８、光変調部５５としての液晶ライトバルブ５６の順番で光源５１の光軸に略直線上に配設される。光学構成部５０を構成する上述した各部品は、プロジェクタ１の筐体１０に形成される案内壁１０ａ，１０ｂにより案内されて収容される。
【００３２】
光学構成部５０の動作を説明する。
集光レンズ５３は、ＬＥＤ光源５２で発光した光を効率よく前方に出射させる。コリメータレンズ５７は、光源５１から出射された光を平行光に変換して出射する。伸張レンズ５８は、コリメータレンズ５７から出射された平行光を液晶ライトバルブ５６の所定の入射光領域（図示省略）のサイズに合わせて伸張して出射する。
【００３３】
液晶ライトバルブ５６は、本実施形態では、透過型カラー液晶パネルを用いており、ＬＣＤ駆動部３４の信号に基づいて駆動し、伸張レンズ５８から出射された光を変調して映像に変換する。なお、液晶ライトバルブ５６は、透過型液晶パネルに限定されることなく、反射型液晶パネルやデジタルマイクロミラーデバイス等を用いることもできる。投写レンズ５９は、数種類のレンズから構成されており、液晶ライトバルブ５６により変調され生成された映像を拡大して、プロジェクタ１の外部に出射する。
【００３４】
上述した光学構成部５０の構成及び動作により、プロジェクタ１は、プロジェクタ１の外部に設置したスクリーン５１０（図４に図示）などの投影面に映像を拡大投写する。
【００３５】
次に、冷却構成部８００の構成を説明する。
冷却構成部８００は、プロジェクタ１の冷却系を構成する部分であり、吸気口８１０と、吸気ダクト８１５と、排気口８２０と、排気ダクト８２５と、冷却ファン８３０とを有して構成される。
【００３６】
吸気口８１０は、プロジェクタ１の前面部１ｂに配設される。冷却ファン８３０は、光源５１の近傍に配設される。排気口８２０は、プロジェクタ１の背面部１ｅに配設される。そして、吸気口８１０と冷却ファン８３０との間には、吸気ダクト８１５が配設され、冷却ファン８３０の光源５１に相対する領域と排気口８２０との間には排気ダクト８２５が配設される。なお、冷却構成部８００を構成する上述した部品は、筐体１０の内面側に形成される案内部（図示省略）に案内され筐体１０の内面に収容される。
【００３７】
冷却構成部８００の動作を説明する。
光源５１が点灯を開始すると、冷却ファン制御部４１の駆動により冷却ファン８３０が動作（回転）が開始する。それにより、冷却ファン８３０は、吸気口８１０から外気を吸気する。吸気した外気を、吸気ダクト８１５内部を流動させて冷却ファン８３０内部に取り込み、その外気を光源５１に送風する。
【００３８】
これにより、冷却ファン８３０は、プロジェクタ本体２内部で光源５１に発生する熱を、送風される外気（空気）に放出（伝熱または放熱）させる。放出された熱を吸収することで熱せられた空気は、排気ダクト８２５内を流動して、排気口８２０を介してプロジェクタ本体２の外部に排気される。この流動のサイクルを繰返すことにより、光源５１は冷却される。図中に示す矢印は、外気の流動方向を示している。なお、吸気口８１０は、内面側に目の細かいシート状の部材が配設され、外気を吸気する場合の防塵用のフィルタとして機能させている。
【００３９】
図３は、プロジェクタの側面図を示し、図３（ａ）は、カバー部材が吸気口及び投写レンズを開放し光源が点灯する状態（使用状態）での側面図であり、図３（ｂ）は、カバー部材が吸気口及び投写レンズを閉塞し光源が非点灯する状態（保管状態）での側面図である。
【００４０】
カバー部材１００の動作を説明する。
図３（ａ）に示すように、カバー部材１００を移動（回動）して所定の位置に位置させると、固定部３００（図５に図示）によりカバー部材１００が固定される。この状態のプロジェクタ１を机上に載置すると、プロジェクタ本体２の脚１５とカバー部材１００のカバー部１１０が机上面６００に当接してプロジェクタ１が保持される。図３（ａ）に示す状態になると、後述する検出部４００により光源５１が点灯し、プロジェクタ１が映像の投写を行う状態（使用状態）となる。
【００４１】
このとき、プロジェクタ１は、図３（ａ）に示すように、カバー部材１００によりプロジェクタ本体２の前面部１ｂ側（投写レンズ５９側）が背面部１ｅ側（光源５１側）より高くなり机上面６００に載置される。これにより、カバー部材１００は、チルト機構としても機能することになる。また、カバー部材１００は、プロジェクタ本体２を支える脚としても機能している。
【００４２】
図３（ｂ）に示すように、カバー部材１００が吸気口８１０及び投写レンズ５９を閉塞した状態においては、プロジェクタ１は、カバー部材１００のヒンジ部１２０に形成される押圧用突起１２３と、相対するヒンジ部１３０に形成される脚１３３（図５に図示）と、プロジェクタ本体２に形成される脚１５とにより、机上面６００に平行に支持される。
【００４３】
図４は、プロジェクタの回路構成を示すブロック図である。図４を用いて、プロジェクタ１の回路構成及び動作を説明する。
【００４４】
プロジェクタ１は、パソコン（パーソナルコンピュータ）５００と無線により接続される。そして、プロジェクタ１は、アンテナ３０、通信部３１、信号変換部３２、画像処理部３３、ＬＣＤ（Liquid Crystal Display）駆動部３４、光学構成部５０、ＬＥＤ（Light Emitting Diode）制御部３９、検出部４００、冷却構成部８００を構成する冷却ファン８３０、音声処理部３５、増幅部３６、スピーカ３７、電源コネクタ４０及びプロジェクタ１の動作全体を統括制御する制御部３８などを有して構成される。
【００４５】
プロジェクタ１の各回路部の動作を説明する。
プロジェクタ１は、アンテナ３０及び通信部３１により、パソコン５００からの符号化された画像データ（静止画像データ及び動画像データ）や音声データなどを受信する。受信した画像データや音声データは、信号変換部３２により複合化され、画像データは、画像処理部３３に出力され、音声データは、音声処理部３５に出力される。
【００４６】
画像処理部３３は、信号変換部３２から入力した画像データに、フレームレート変換及びスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ５６を駆動する。
【００４７】
音声処理部３５は、信号変換部３２から入力したデジタル信号である音声データを、アナログ信号に変換し、増幅部３６により増幅し、スピーカ３７により音声として放音孔１１を介して放音する。
【００４８】
ＬＥＤ制御部３９は、制御部３８の信号に基づいて、ＬＥＤ光源５２の輝度調光を行う。具体的には、画像のシーンに対応させて、ＬＥＤ光源５２を駆動する駆動周波数やデューティー比を変化させている。これにより、明るいシーンでは、駆動周波数を上げるまたはデューティー比の「ＯＮ」時間を長くすることにより、ＬＥＤ光源５２を明るく発光させる。また、暗いシーンでは、逆に、駆動周波数を下げるまたはデューティー比の「ＯＮ」時間を短くすることにより、ＬＥＤ光源５２の発光を抑えて暗くさせる制御を行う。なお、ＬＥＤ光源５２は、白色光（全ての色を含む光）を発光させる。
【００４９】
検出部４００は、カバー部材１００の回動状態を検出している。詳しくは、カバー部材１００が光源５１を点灯させる位置（いわゆる所定の位置）に位置する場合と位置しない場合とを検出し、その状態に応じる検出信号を制御部３８の光源動作制御部７００に出力する。
【００５０】
制御部３８は、光源動作制御部７００としての機能を有して、検出部４００から入力される検出信号に基づいて、カバー部材１００が光源５１を点灯させても良い位置に位置したか否かを判断し、光源５１（ＬＥＤ光源５２）の点灯／非点灯を制御している。ここで、カバー部材１００が光源５１を点灯させても良い位置に位置した場合、制御部３８は、ＬＥＤ制御部３９に信号を送信し、光源５１を点灯させる。また、カバー部材１００が光源５１を点灯させても良い位置に位置しない場合、制御部３８は、ＬＥＤ制御部３９に信号を送信し、光源５１を非点灯（消灯）させる。なお、制御部３８は、プロジェクタ１の動作全体を統括制御している。
【００５１】
冷却ファン制御部４１は、制御部３８からの信号を受け、冷却ファン８３０を動作させる。
【００５２】
プロジェクタ１を駆動するための電力は、プロジェクタ１とは別に備える電源アダプタ（図示省略）を介して供給される。それにより、電源コネクタ４０を備えて、電源アダプタのプラグ５２０と接続される。
【００５３】
図５は、図１（ａ）に示すＡ−Ａの位置でＸ−Ｙ平面に平行な断面図である。また、ヒンジ部の周辺領域を拡大した断面図である。但し、プロジェクタ本体２の内部は図示を省略し、脚１５とヒンジ部１２０，１３０を主に図示している。図５を用いて、プロジェクタ本体２とカバー部材１００のヒンジ部１２０，１３０との構成を説明する。
【００５４】
図５に示すように、カバー部材１００は、カバー部１１０とヒンジ部１２０，１３０とで構成される。また、カバー部材取付け溝部２００，２１０は、ヒンジ部１２０，１３０に相対して形成されている。また、カバー部材１００及びカバー部材取付け溝部２００，２１０は、プロジェクタ１の中心位置を通るＸ−Ｚ平面に対して対称な構成となっており、それぞれに形成される種々の構成も対称に有している。
【００５５】
そこで、プロジェクタ本体２の左側面部１ｃに設置されるヒンジ部１２０及びカバー部材取付け溝部２００を説明することで、右側面部１ｄに設置されるヒンジ部１３０及びカバー部材取付け溝部２１０は同様として詳細説明は省略する。
【００５６】
ヒンジ部１２０は、ヒンジ部１２０の先端部において、先端部と同様の外形でプロジェクタ本体２側に厚肉となる回動構成部１２１を形成している。回動構成部１２１の回動構成面１２１ａには、カバー部材１００を回動するための軸となる支軸１２２が円柱形状を有してプロジェクタ本体２内側に突出して形成されている。また、カバー部材１００をプロジェクタ本体２に固定するための固定部３００を構成する固定用突起１２４が半円球凸形状を有してプロジェクタ本体２側に突出して形成されている。
【００５７】
検出部４００を構成する検出スイッチとしてのマイクロスイッチ４１０の可動軸４１２が、カバー部材取付け溝部２００にプロジェクタ本体２内部から延出している。そして、この可動軸４１２に当接して押圧するための押圧用突起１２３が回動構成部１２１の外周面部に半円形状を有して突出（図５では、回動構成部１２１の外周面部の下方向に突出）して形成されている。
【００５８】
カバー部材取付け溝部２００は、上述したヒンジ部１２０の形状に対応して、クリアランスを確保して、ヒンジ逃げ部２０１及び回動構成逃げ部２０２が形成されている。回動構成逃げ部２０２の回動構成逃げ部面２０２ａには、支軸１２２を受ける円柱凹形状を有する軸受部２０３が形成されている。
【００５９】
また、回動構成逃げ部面２０２ａには、固定用突起１２４を受けることでカバー部材１００の回動を固定する固定部３００として２つの固定用受部２０４，２０５が半円球凹形状を有して形成される。なお、固定用受部２０４は、カバー部材１００が吸気口８１０及び投写レンズ５９を閉塞した場合にカバー部材１００の固定用突起１２４を固定する。その状態を図５では示している。また、固定用受部２０５は、カバー部材１００が吸気口８１０及び投写レンズ５９を開放し、チルト機構として機能する位置に回動した場合に固定用突起１２４を固定する。従って、固定用受部２０４，２０５は、支軸１２２を中心として、同心円上に設置されている。
【００６０】
なお、固定用受部２０４が固定用突起１２４を固定した状態（カバー部材１００が吸気口８１０及び投写レンズ５９を閉塞した状態）から、固定用突起１２４を回動させるには、段差Ｈを乗り越える力をカバー部材１００に加えることになる。この力が固定部３００の固定力となる。
【００６１】
上述した構成が、ヒンジ部１３０及びカバー部材取付け溝部２１０においても同様に形成され構成されている。よって、ヒンジ部１３０には、回動構成部１３１、支軸１３２、固定用突起１３４が形成され、カバー部材取付け溝部２１０には、軸受部２１３、ヒンジ逃げ部（図示省略）、回動構成逃げ部（図示省略）、固定部３００として２つの固定用受部２１４，２１５が同様に形成される。
【００６２】
マイクロスイッチ４１０の可動軸４１２を押圧する押圧用突起１２３に対応して、ヒンジ部１３０には脚１３３が形成される。脚１３３は、カバー部材１００が、吸気口８１０及び投写レンズ５９を閉塞した状態で、プロジェクタ本体２を支える脚として機能し、検出部４００としての機能は行わない。本実施形態では、検出部４００は後述する１箇所に構成されている。
【００６３】
固定部３００は、固定用突起１２４と２つの固定用受部２０４，２０５、及び相対して設けられる固定用突起１３４と２つの固定用受部２１４，２１５とにより構成される。
【００６４】
また、上記構成により、カバー部材１００は、ヒンジ部１２０，１３０に形成される支軸１２２，１３２を、プロジェクタ本体２に形成される軸受部２０３，２１３にそれぞれ挿嵌することにより支軸１２２，１３２を中心として、プロジェクタ本体２に対して回動自在となる。
【００６５】
図６は、図５に示すＢ−Ｂ断面図であり、検出部及び固定部を示し、図６（ａ）は、カバー部材が回動途中の断面図であり、図６（ｂ）は、カバー部材が光源の点灯可能な位置に位置する状態での断面図である。図６を用いて、プロジェクタ１の検出部４００及び固定部３００の構成及び動作を説明する。
【００６６】
図６（ａ）、（ｂ）に示すように、検出部４００は、プッシュ型の検出スイッチであるマイクロスイッチ４１０と、それを実装すると同時にマイクロスイッチ４１０で検出した信号を制御部３８の光源動作制御部７００に送信するケーブルなどが実装された検出回路基板４１３と、マイクロスイッチ４１０の可動軸４１２に当接して押圧する押圧用突起１２３とで構成される。
【００６７】
また、検出部４００は、カバー部材取付け溝部２００に形成する回動構成逃げ部２０２の回動構成逃げ部面２０２ｂに相対する内面側に設置される。検出部４００を固定するために、突出させた検出回路固定用凸部２０６が形成されている。検出回路固定用凸部２０６は、内側にマイクロスイッチ４１０が収容できる空間となる検出回路用溝２０７を形成している。また、回動構成逃げ部面２０２ｂには、マイクロスイッチ４１０の可動軸４１２を挿入する挿入孔２０８が形成されている。
【００６８】
ここで、マイクロスイッチ４１０の可動軸４１２を挿入孔２０８に挿入することで、マイクロスイッチ４１０の本体４１１を検出回路用溝２０７に位置させて、検出回路基板４１３の肩を検出回路固定用凸部２０６の先端部に当接させることにより検出部４００が固定される。検出部４００を固定することにより、マイクロスイッチ４１０の可動軸４１２が、回動構成逃げ部２０２に所定の突出量を持って固定される。
【００６９】
固定部３００及び検出部４００の動作を説明する。
図６（ａ）に示すように、カバー部材１００が回動途中（固定部３００によりカバー部材１００がプロジェクタ本体２に固定されない状態）であり、回動構成部１２１の外周面部に形成する押圧用突起１２３が、マイクロスイッチ４１０の可動軸４１２を押圧しない場合には、検出部４００での検出信号は「ＯＦＦ」となる。その信号は光源動作制御部７００に出力される。
【００７０】
なお、図５に示す拡大図のように、固定用突起１２４が、固定用受部２０４に位置して、固定用突起１２４の半球面凸形状部分が固定用受部２０４の半球面凹形状部分に落込み、固定用突起１２４が固定される。それにより、カバー部材１００が、プロジェクタ本体２に固定される場合（カバー部材１００が吸気口８１０及び投写レンズ５９を閉塞する場合）も、上述したと同様に、検出部４００での検出信号は「ＯＦＦ」となる。その信号は光源動作制御部７００に出力される。
【００７１】
図６（ｂ）に示すように、固定用突起１２４が、固定用受部２０５に位置して、固定用突起１２４の半球面凸形状部分が固定用受部２０５の半球面凹形状部分に落込むと、カバー部材１００は、プロジェクタ本体２に固定される。この状態が、カバー部材１００が所定の位置に位置した状態であり、カバー部材１００が吸気口８１０及び投写レンズ５９を完全に開放した状態であり、プロジェクタ１が使用可能な状態である。また、カバー部材１００がチルト機構として機能する状態である。カバー部材１００が固定されると、同時に、押圧用突起１２３が、マイクロスイッチ４１０の可動軸４１２を押圧して、マイクロスイッチ４１０の本体４１１側に押込み量Ｃだけ押込むことになる。マイクロスイッチ４１０が動作するストロークに合わせて可動軸４１２の押込み量Ｃを設定しているため、マイクロスイッチ４１０の検出信号は「ＯＮ」となる。その信号が光源動作制御部７００に出力される。
【００７２】
この構成及び動作により、検出部４００は、固定用突起１２４が固定用受部２０５に位置して、カバー部材１００がプロジェクタ本体２に固定されると同時に、検出信号「ＯＮ」を出力する。また、検出部４００は、カバー部材１００が回動途中、及び、カバー部材１００が吸気口８１０及び投写レンズ５９を閉塞する場合には、検出信号「ＯＦＦ」を出力する。
【００７３】
ここで、制御部３８の有する光源動作制御部７００としての動作を詳細に説明する。
上述したように、固定用突起１２４が固定用受部２０５に位置して、カバー部材１００がプロジェクタ本体２に固定されると、検出部４００により、検出信号は「ＯＦＦ」から「ＯＮ」に変わり、光源動作制御部７００に検出信号「ＯＮ」を出力する。光源動作制御部７００は、検出信号「ＯＮ」の入力に基づき、カバー部材１００が光源５１を点灯させても良い位置に位置したと判断する。そして、光源動作制御部７００は、ＬＥＤ光源５２を点灯させるための信号をＬＥＤ制御部３９に出力する。ＬＥＤ制御部３９は、ＬＥＤ光源５２を点灯させるための信号に基づき、ＬＥＤ光源５２の点灯を開始する。そして、制御部３８は、プロジェクタ１に映像を投写させる動作を開始する。
【００７４】
また、固定用突起１２４が固定用受部２０５から移動して、カバー部材１００が回動を開始すると、検出部４００により、検出信号は「ＯＮ」から「ＯＦＦ」に変わり、光源動作制御部７００に検出信号「ＯＦＦ」を出力する。光源動作制御部７００は、検出信号「ＯＦＦ」の入力に基づき、カバー部材１００が光源５１を点灯させても良い位置からずれたと判断する。そして、光源動作制御部７００は、ＬＥＤ光源５２を非点灯させるための信号をＬＥＤ制御部３９に出力する。ＬＥＤ制御部３９は、ＬＥＤ光源５２を非点灯させるための信号に基づき、ＬＥＤ光源５２の点灯を終了する（非点灯となる）。それにより、制御部３８は、プロジェクタ１に映像を投写させる動作を終了する。
【００７５】
上述した、実施形態によれば以下の効果が得られる。
（１）本実施形態によれば、カバー部材１００は、吸気口８１０を覆うように配設されている。これにより、プロジェクタ１の保管状態において、ゴミや埃が吸気口８１０に付着することを防止でき、防塵性能が向上する。従って、カバー部材１００を移動させて、プロジェクタ１を使用状態とさせ、吸気口８１０から外気をプロジェクタ本体２内部に吸気した場合、保管時のゴミや埃の影響は受けずに、前回使用時と同様の吸気効率を維持することができ、結果、冷却効率を維持できる。
【００７６】
（２）本実施形態によれば、カバー部材１００は、投写レンズ５９を覆うように配設されている。これにより、吸気口８１０を覆うことでの防塵性能の向上とともに、投写レンズ５９の防塵と外部からの衝撃に対する保護を同時に行うことができる。それにより、プロジェクタ１の利便性を向上させることができる。
【００７７】
（３）本実施形態によれば、カバー部材１００は、検出スイッチとしてのマイクロスイッチ４１０を有するプロジェクタ本体２とともに検出部４００を構成し、プロジェクタ本体２に対してカバー部材１００が移動して所定の位置に位置したか否かを検出する。そして、検出部４００からの検出信号に基づいて光源５１に点灯または非点灯を行わせる光源動作制御部７００を制御部３８が有している。これにより、検出部４００は、カバー部材１００が移動して所定の位置に位置した状態を、押圧用突起１２３がマイクロスイッチ４１０の可動軸４１２を押圧することで検出し、検出信号を光源動作制御部７００に出力する。光源動作制御部７００は、入力した検出信号に基づいて、光源５１を点灯させることができる。また、検出部４００は、カバー部材１００が移動して、所定の位置に位置しなくなった状態を、押圧用突起１２３がマイクロスイッチ４１０の可動軸４１２を押圧しなくなることで検出し、検出信号を光源動作制御部７００に出力する。光源動作制御部７００は、入力した検出信号に基づいて、光源５１を非点灯にすることができる。従って、カバー部材１００が吸気口８１０及び投写レンズ５９を完全に開放しない位置（状態）では、光源５１を非点灯にすることにより、吸気口８１０がカバー部材１００に遮られ、吸気効率低下による冷却効率低下などを防止することや、投写レンズ５９から出射される投写映像光がカバー部材１００に遮られることによる投写映像の欠けなどの品質低下を防止することができる。このように、カバー部材１００を有効に利用することで、冷却効率や投写品質の向上が図れ、プロジェクタ１の信頼性及び利便性が向上する。
【００７８】
（４）本実施形態によれば、カバー部材１００は、チルト機構として機能することができる。そのため、小型なプロジェクタにおいて、投写面（スクリーン５１０）に対して投写レンズ５９から投写された投写映像の位置を調整でき、プロジェクタ１が映像を投写する際のアオリの関係から発生する投写映像の下側が机上面６００に投写されるという不具合を改善することが可能となる。このようにプロジェクタ１のカバー部材１００を有効に利用することができ、プロジェクタ１の利便性が向上する。
【００７９】
（５）本実施形態によれば、カバー部材１００が投写レンズ５９の先端部を閉塞した場合には、検出部４００及び光源動作制御部７００により光源５１は非点灯となるため、投写レンズ５９からの投写光による熱で、カバー部材１００が溶けて変形することを防止できる。そのためカバー部材１００は、有色不透明のプラスチック部材で形成されている。従って、カバー部材１００は、無色（あるいは有色）透明のプラスチック部材に限られることが無く、カバー部材１００及びプロジェクタ１に対するデザインの自由度が拡大する。
（第２実施形態）
【００８０】
図７は、本発明の第２実施形態に係るプロジェクタの光学構成部及び冷却構成部を示す平面図である。第２実施形態のプロジェクタ５は、第１実施形態のプロジェクタ１における冷却構成部８００の構成のみを変更したものである。詳細には、冷却構成部８００の配設順番を逆にしたものである。従って、特に説明しない部分に関しては、第１実施形態と同様の構成であり、同様の動作を行うものとする。また、同様の構成には符号の付記も省略している。以下、図７を用いて、プロジェクタ５の冷却構成部９００を説明する。
【００８１】
図７に示すように、プロジェクタ５の冷却構成部９００は、吸気口９１０と、吸気ダクト９１５と、排気口９２０と、排気ダクト９２５と、冷却ファン９３０とを有して構成される。但し、吸気口９１０は、プロジェクタ５の背面部１ｅに配設される。また、前面部１ｂには、排気口９２０が配設される。それに準じて、吸気ダクト９１５と、排気ダクト９２５と、冷却ファン９３０が配設される。
【００８２】
冷却構成部９００の動作は、第１実施形態の冷却構成部８００の動作と同様であるが、流動方向が逆となる。プロジェクタ５の背面部１ｅに配設した吸気口９１０から外気を吸気して、冷却ファン９３０が光源５１に送風し、熱せられた空気をプロジェクタ５の前面部１ｂに設置する排気口９２０を介して排気する。この流動のサイクルを繰返すことにより、光源５１の熱は放出されて、光源５１が冷却される。図中に示す矢印が、外気の流動方向を示している。なお、吸気口９１０は、内面側に目の細かいシート状の部材が配設され、外気を吸気する場合の防塵用のフィルタとして機能させている。
【００８３】
本実施形態では、プロジェクタ５の前面部１ｂに排気口９２０が配設されるため、投写レンズ５９と排気口９２０とがカバー部材１００により覆われる（閉塞される）構成となっている。
【００８４】
上述した、第２実施形態によれば、第１実施形態での効果（４）、（５）の効果を同様に得られる他、以下の効果が得られる。
（１）本実施形態によれば、カバー部材１００は、排気口９２０を覆うように配設されている。これにより、プロジェクタ５の保管状態において、ゴミや埃が排気口９２０や排気ダクト９２５内に付着することを防止でき、防塵性能が向上する。従って、カバー部材１００を移動させて、プロジェクタ１を使用状態とさせ、排気口９２０から外気をプロジェクタ５の本体外部に排気した場合、保管時のゴミや埃の付着の影響は受けずに、前回使用時と同様の排気効率を維持することができ、結果、冷却効率を維持できる。
【００８５】
（２）本実施形態によれば、カバー部材１００は、投写レンズ５９を覆うように配設されている。これにより、排気口９２０を覆うことでの防塵性能の向上とともに、投写レンズ５９の防塵と外部からの衝撃に対する保護を同時に行うことができる。それにより、プロジェクタ５の利便性を向上させることができる。
【００８６】
（３）本実施形態によれば、第１実施形態と同様に、プロジェクタ５は、検出部４００や光源動作制御部７００を構成して、同様に動作を行っている。従って、カバー部材１００が排気口９２０及び投写レンズ５９を完全に開放しない位置（状態）では、光源５１を非点灯にすることにより、排気口９２０がカバー部材１００に遮られ、排気効率低下による冷却効率低下などを防止することや、投写レンズ５９から出射される投写映像光がカバー部材１００に遮られることによる投写映像の欠けなどの品質低下を防止することができる。このように、カバー部材１００を有効に利用することで、冷却効率や投写品質の向上が図れ、プロジェクタ１の信頼性及び利便性が向上する。
【００８７】
なお、本発明は、上述した実施形態に限定されず、種々の変更や改良などを加えることが可能である。変形例を以下に述べる。
【００８８】
（変形例１）前記実施形態において、光源５１は、ＬＥＤ（Light Emitting Diode）チップを用いているが、これに限らず、放電式の光源（例えば、超高圧水銀ランプ）を用いても良い。
【００８９】
（変形例２）前記実施形態において、カバー部材１００は、投写レンズ５９を覆っている。しかし、これに限らず、カバー部材は、吸気口８１０，９１０または排気口８２０，９２０の少なくとも一方を覆うことで良い。それにより、保管状態においてゴミや埃などの付着を防止することができ、プロジェクタ１，５の使用時には、前回使用時と同様の冷却効率を奏することが可能となる。
【００９０】
（変形例３）前記実施形態において、プロジェクタ１，５の内部の光源５１で発生する熱に対して、その熱を放出して、光源５１を冷却している。しかし、これに限らず、液晶ライトバルブ５６で発生する熱や、回路基板上に実装される素子で発生する熱などに対しても、その発生する熱を放出して、液晶ライトバルブ５６や素子を冷却しても良い。
【００９１】
（変形例４）前記実施形態において、光学構成部５０と冷却構成部８００とは、プロジェクタ本体２内部に収容されている。しかし、光学構成部５０を収容する領域と冷却構成部８００を収容する領域とを略分離する構成とすることでも良い。この場合、光学構成部５０で発生する熱として、例えば、光源５１で発生する熱に対して、その発生する熱を放出して、光源５１を冷却する場合、伝熱部材により冷却構成部８００が収容される領域を構成する筐体に熱を伝熱させる。この筐体は、熱伝導率の高いマグネシウム合金やアルミニウム合金などの金属材料で形成することにより、伝熱部材からの熱を効率良く伝熱させることができる。そして、冷却構成部８００は、この伝熱された筐体に対して、冷却ファンにより、吸気口から外気を吸気して送風することにより、放熱させ、熱せられた空気（外気）を排気口から排気させることで、筐体を冷却する。それにより、光源５１を冷却することになる。筐体には、フィンなどを形成することで、冷却効率を向上することもできる。
【００９２】
（変形例５）前記実施形態において、検出部４００及び光源動作制御部７００は、カバー部材１００がプロジェクタ１，５の使用可能状態の位置に位置すると、光源５１を点灯させる動作を行う。また、位置しない場合には、光源５１を非点灯させる動作を行う。このように、直接、光源５１の点灯及び非点灯を行う動作方法に限らず、操作部２５の有する電源スイッチをメインスイッチとして、電源スイッチの入力により光源５１を点灯させても良い。この場合、検出部４００はサブスイッチとして動作させて、メインスイッチの光源５１を点灯させるという入力と、サブスイッチの光源５１を点灯させるという入力との２つのスイッチ入力が入力されると、光源５１を点灯させることが良い。また、光源５１を非点灯にする場合のスイッチ入力は、メインスイッチまたはサブスイッチのどちらか一方のスイッチ入力があれば非点灯とすることが良い。これにより、光源５１の点灯及び非点灯での安全性を向上できる。
【００９３】
（変形例６）前記実施形態において、カバー部材１００は、吸気口８１０及び投写レンズ５９、または、投写レンズ５９及び排気口９２０、を覆い（閉塞し）、支軸１２２，１３２を中心に回動する。しかし、これに限らず、カバー部材はプロジェクタ１，５の前面部１ｂをスライドする構造であっても良い。また、スライドしてプロジェクタ１，５が使用可能な位置（光源５１を点灯できる位置）に位置することを検出する検出部などを配設することで、本発明の効果を本実施形態と同様に奏することができる。
【００９４】
（変形例７）前記実施形態において、カバー部材１００は、吸気口８１０及び投写レンズ５９、または、投写レンズ５９及び排気口９２０、を覆い（閉塞し）、支軸１２２，１３２を中心に回動する。しかし、これに限らず、カバー部材はプロジェクタ本体２に対して取外し可能な構造であっても良い。また、カバー部材を取外した場合と、取付けた場合とを検出する検出部や、前記実施形態と同様の光源動作制御部を設けることにより、光源５１の点灯または非点灯の制御も行うこともできる。
【００９５】
（変形例８）前記第１実施形態において、吸気口８１０及び投写レンズ５９を覆う（閉塞する）ようにカバー部材１００が形成されているが、更に排気口８２０も覆うカバー部材も配設しても良い。こうすることにより、プロジェクタ１の保管状態において、排気口８２０をゴミや埃などの付着から保護することができる。第２実施形態においても、吸気口９１０を覆うカバー部材を配設することで、同様に、吸気口９１０をゴミや埃などの付着から保護することができる。
【００９６】
（変形例９）前記実施形態に用いた検出部４００の検出構造及び固定部３００の固定構造以外に、様々な検出部の検出構造及び固定部の固定構造を用いることが可能であり、前記実施形態に限定されるものではない。本発明の要旨を変更しない範囲で適宜変形しても良い。
【００９７】
（変形例１０）前記実施形態において、光源動作制御部７００は、制御部３８内での処理として構成されているが、これに限らず、ＬＥＤ制御部３９内での処理として構成しても良い。
【００９８】
（変形例１１）前記実施形態でのプロジェクタ１，５は、透過型液晶方式のプロジェクタである。しかし、これに限らず、ＤＬＰ（登録商標）（Digital Light Processing）方式及び反射型液晶方式であるＬＣＯＳ（Liquid Crystal On Silicon）方式などを採用したプロジェクタであっても良い。
【図面の簡単な説明】
【００９９】
【図１】本発明の実施形態に係るプロジェクタの概略斜視図であり、図１（ａ）は、カバー部材が吸気口及び投写レンズを覆う（閉塞する）状態での斜視図であり、図１（ｂ）は、カバー部材を移動（回動）させて、カバー部材が吸気口及び投写レンズを覆わない（開放する）状態での斜視図である。
【図２】プロジェクタの光学構成部及び冷却構成部を示す平面図である。
【図３】プロジェクタの側面図を示し、図３（ａ）は、カバー部材が吸気口及び投写レンズを開放し光源が点灯する状態（使用状態）での側面図であり、図３（ｂ）は、カバー部材が吸気口及び投写レンズを閉塞し光源が非点灯する状態（保管状態）での側面図である。
【図４】プロジェクタの回路構成を示すブロック図である。
【図５】図１（ａ）に示すＡ−Ａの位置でＸ−Ｙ平面に平行な断面図である。
【図６】図５に示すＢ−Ｂ断面図であり、検出部及び固定部を示し、図６（ａ）は、カバー部材が回動途中の断面図であり、図６（ｂ）は、カバー部材が光源の点灯可能な位置に位置する状態での断面図である。
【図７】本発明の第２実施形態に係るプロジェクタの光学構成部及び冷却構成部を示す平面図である。
【符号の説明】
【０１００】
１，５…プロジェクタ、２…プロジェクタ本体、１０…筐体、３８…制御部、３９…ＬＥＤ制御部、４１…冷却ファン制御部、５０…光学構成部、５１…光源、５２…ＬＥＤ光源、５９…投写レンズ、６０…投写レンズ保持部材、１００…カバー部材、１１０…カバー部、１２０，１３０…ヒンジ部、１２１，１３１…回動構成部、１２２，１３２…支軸、１２３…押圧用突起、１２４，１３４…固定用突起、３００…固定部、４００…検出部、４１０…検出スイッチとしてのマイクロスイッチ、７００…光源動作制御部、８００，９００…冷却構成部、８１０，９１０…吸気口、８１５，９１５…吸気ダクト、８２０，９２０…排気口、８２５，９２５…排気ダクト、８３０，９３０…冷却ファン。
【図１】
2007010709.tif 000003
【図２】
2007010709.tif 000004
【図３】
2007010709.tif 000005
【図４】
2007010709.tif 000006
【図５】
2007010709.tif 000007
【図６】
2007010709.tif 000008
【図７】
2007010709.tif 000009